(57)【要約】【課題】戸当たりゴム形式で鋼板プレス扉を装着した旧式建具の改修に於いて扉のみを高性能扉に更新する場合既存枠との接触面の気密性を向上させる為、枠の戸当たり面に貼り付けタイプの気密ゴムを貼り付ける工法が行われているが当工法は永続的な使用に耐えない、【解決の手段】其処で本発明は、既存の戸当たりゴムタイプ枠を気密材嵌め込み溝付き枠に改装し周知の気密材を同溝に嵌め込み扉の更新に併せ扉の閉扉に応じ扉内面四周を周知の気密材で密着し遮音、断熱性能を向上させ高気密建具えの改装を効果的に行える経済的な方法である。【選択図】  図１
2004308379.tif 000002
【特許請求の範囲】
【請求項１】
扉と壁床等との境界域に設けられた戸当たりゴムタイプの既存金枠を高気密性能の金枠に改装する方法として開口寸法を保持した状態の儘、既存金枠の左右の縦枠並びに上枠の戸当たりと裏側見付け面端部を含む裏側見込み面を撤去し同位置に気密材嵌め込み溝を付けた裏側見込み面材を既存金枠の両端部に連節係止し同溝に周知の気密材を嵌め込み扉の更新に併せ、枠と扉の気密性性能の改善を効果的に行える事を特徴とした金枠改装方法。
【請求項２】
請求項１に記載する高気密扉えの更新に併せ枠と扉の気密性能の向上を図る為、戸当たりゴムタイプの既存金枠の戸当たり部と裏側見込み面と裏側見付け面の一部の嵌め込み溝設置に必要な最小限の部位を周知の各種切削工具等を用いて支障ある中詰め材共取り除き、折り曲げ部を有する下地材を既存金枠端部に螺子等により連節係止し既存金枠の開口寸法を減少させず新規枠を形成し新規枠周囲の気密材嵌め込み溝に周知の気密材を嵌め込み更新し新規扉の閉扉と同時に嵌め込んだ気密材を扉との接触面に密着させ遮音、断熱性能の高い建具に改装できる事を特徴とした金枠改装方法。
【請求項３】
請求項１、２に記載する方法により下枠（くつずり）の戸当たり及び中詰め材の最小限を取り除き、新規下枠表側見込み面材は既存下枠の表側見込み面全面を覆ったうえ内側端部は折り曲げ立ち上げた形態とし、新規下枠の気密材嵌め込み溝を形成した裏側見込み面材と新規下枠の気密材嵌め込み溝底裏面とを重ね合わせ螺子等により連節係止し、新規下枠（くつずり）を形成し周知の気密材を嵌め込んで成る事を特徴とした金枠改装方法。
【発明の詳細な説明】
【０００１】
【発明の属する技術的分野】本発明は、主として既存建具の遮音、断熱等の気密性能を高める改装工法として、扉の新替えと同時に既存枠を撤去し新規枠を装着する方法が行われているが既存枠の撤去に伴う周辺壁床等の後補修に多くの問題点を抱えている為、特定の場合以外は余り行われていない現状であり、
【０００２】其処で戸当たりゴムタイプの既存枠で比較的健全な状態である場合不必要な撤去をぜず必要最小限部位のみを取り除き気密性能を高める為の気密材嵌め込み溝を装着した新規枠材に改装し周知の気密材を嵌め込み更新した扉扉の閉扉に併せ四周を気密材で密着すれば効果的に高性能建具に改装できる。
【０００３】既存枠の開口寸法を減少させず性能改善を行う方法として既存枠の戸当たりと見込み面に新規枠材を装着する場合に支障を及ぼす部位のみを周知の各種切削工具等を用いて同部位の中詰め材共撤去し既存枠の表側見込み面撤去端部を接続代とした部位と新規縦及び上枠下地材と気密材嵌め込み溝を形成した裏側見込み面から裏側見付け面材に至る枠材を既存裏側見付け面材撤去端部の接続代に連節係止し気密材嵌め込み溝付き枠として周知の気密材を四周に嵌め込めば高性能扉えの更新に対応した高性能建具に改装できる。
【０００４】
【従来の技術】戸当たりゴム形式タイプの鋼板プレス扉を装着した旧式建具の改修於いて扉のみを高性能扉に更新する場合、戸当たり部位に接着方式により周知の気密材を貼り付ける方法が行われているが気密材の永続的な使用を望む事は困難であり良策は見受けられない現状である。
【０００５】
【発明が解決しようとする課題】本発明は、集合住宅等で低性能建具の改修を合理的に行う方法として、扉Ｄ四周と接する既存枠Ａの戸当たりＡ２とその裏側見込み面Ａ３、下枠見込み面Ａ７及び裏側見付け面Ａ４端部、下枠見込み面Ａ７１と中詰め材共の新規枠材装着に支障ある部位全面を撤去し、両側縦、上枠及び下枠材それぞれの適合部位に各部材を螺子等Ｃ３により連節係止し新規気密材嵌め込み溝Ｂ２１付き新規枠Ｂを形成して周知の気密材Ｃ２を新規扉Ｂ２と四周に於いて密着するように嵌め込み遮音、断熱性能の高い新規建具に改装できる。
【０００６】特に既存下枠（くつずり）Ｂの改装に付いては床ロの接触面の段差が僅少である場合は気密材嵌め込み溝Ｂ４２が装着される最小限の部位のみを撤去し新規気密材嵌め込み溝Ｂ４２を形成する表側見込み面材Ｂ３と同折り曲げ部Ｂ３１とを気密材装着嵌め込み溝Ｂ４２底で重ね合わせ螺子等Ｃ３により連節係止すると同時に材料強度の確保と足元の危険防止の為、新規各材料の前後両端全域を丸面とした形態とした新規気密材嵌め込み溝Ｂ４２付きとした新規枠Ｂを既存下枠Ａに装着すれば改装費用と作業時間を軽減した効果的な改装できる。
【０００７】
【課題を解決するための手段】上記課題に沿って本発明は、例えば集合住宅等の玄関建具その他の鋼製建具の性能向上等を目的とした各種の改装内容の内、戸当たりゴムタイプの既存枠Ａの幅開口寸法Ｗを減少させず、工事内容のグレードを下げずに行える費用、時間とも最小限とした改装方法として、
【０００８】同形枠Ａのウイークポイントとも言える戸当たりゴムＣ１を装着した戸当たりＡ２のみを遮音、断熱性能を高める為、気密材嵌め込み溝Ｂ２１を備えた新規枠材えの改装方法として、既存枠Ａの戸当たりＡ２と裏側見込み面材Ａ３を新規気密材嵌め込み溝Ｂ２１付き裏側見込み面材Ｂ２の装着に支障のある中詰め材Ｃ共取り除き同部位に気密材嵌め込み溝Ｂ２１付き裏側見込み面材Ｂ２を装着し周知の気密材Ｃ２を嵌め込み新規扉Ｄ２と四周に於いて密着させれば目的とした遮音、断熱性能に優れた高性能建具えの改装を効果的に行なえ、
【０００９】取り除く部位は表側見込み面Ａ１と戸当たりＡ２との交点の凹部から気密材嵌め込み溝Ｂ２１の装着に支障を及ぼす恐れのある戸当たり面Ａ２と裏側見込み面材Ａ３の下枠（くつずり）Ｂの一部を含む枠材及び中詰め材Ｃの全てを撤去し、
【００１０】新規気密材嵌め込み溝Ｂ２１付き裏側見込み面材Ｂ２と既存枠Ａの表側見込み面Ａ１との係止を目的とした折り曲げ部Ｂ１１を擁した下地材Ｂ１を表側見込み面Ａ１に他の一方を気密材嵌め込溝Ａ２２底の裏側に一方を既存裏側見付け面材Ａ４とをそれぞれ螺子等Ｃ３により連節係止して気密材嵌め込み溝Ａ２２付き裏側見込み面材Ｂ２を装備した改装枠に改修する事ができる一方、
【００１１】既存下枠（くつずり）Ｂに付いては戸当たりＡ６部分を含む気密材嵌め込み溝Ｂ４２の装着に支障を及ぼす恐れのある裏側見込み面Ａ７１全長を撤去し、新規上枠Ｂの裏側見込み面Ｂ２と新規下枠裏側見込み面Ｂとの開口寸法Ｈをほぼ減少させず既存表側見込み面Ａ５全面と新規表側見込み面Ｂ３と同折り曲げ部Ｂ３１を気密材嵌め込み溝Ｂ４２を形成する裏側見込み面材Ｂ４端部の折り曲げ部Ｂ４１とを重ね合わせ螺子等Ｃ３に依り連節係止して気密材嵌め込み溝Ｂ４２を形成した新規下枠（くつずり）Ｂとし、
【００１２】四周を気密材嵌め込み溝Ｂ４２付とした後、周知の気密材Ｃ２を嵌め込み新規扉Ｂ１の閉扉と同時に四周に於いて密着させれば目的とした高性能建具えの改装が容易に行える。
【００１３】
【発明実施の形態】以下図面に従って本発明を具体的に説明すれば、図１は既存枠Ａの縦枠並びに下枠の改装形態の一部を表した斜視図であり、先ず上段は壁イに取り付けられた表側見込み面材Ａ１枠の内側部から点線で示す撤去部分である戸当たりＡ２と連節した裏側見込み面Ａ３を経て見付け面材Ａ４に至る既存枠Ａと点の集合で示した中詰め材Ｃ等の撤去部位と、
【００１４】中段は既存枠Ａの表側見込み面材Ａ１の撤去端部近くの接続代と新規下地材Ｂ１端部とを螺子等Ｃ３により係止し、下地材Ｂ１の折り曲げ部Ｂ１１に於いて新規裏側見込み面材Ｂの気密材嵌め込み溝底Ｂ２２とを重ね合わせ螺子等Ｃ３により係止して新規気密材嵌め込み溝Ｂ２１付きとし、既存裏側見込み面材Ａ４と新規裏側見付面材Ｂ２３とを係止接続して改装枠を形成し、気密材嵌め込み溝Ｂ２１に周知の気密材Ｃ２を嵌め込んで気密性能に優れた新規枠に改装でき、
【００１５】下段は既存下枠（くつずり）Ａが内外床ロに深く埋設された形態であり、既存枠Ａの戸当たりＡ６と裏側見込み面材Ａ７１の撤去部位を点線で示し中詰め材Ｃを点の集合で表現し、
【００１６】既存下枠（くつずり）Ａの表側見込み面材７全体を覆う形態とした新規表側見込み面材Ｂ３と同折り曲げ部材Ｂ３１と新規裏側見込み面材Ｂ４と同折り曲げ部材Ｂ４１とを螺子等Ｃ３により連節係止して気密材嵌め込み溝Ｂ４２付き新規下枠を形成し周知の気密材Ｃ２を嵌め込み気密性能に優れた新規枠とし閉扉に伴い扉内面四周に於いて気密材Ｃ２を密着させ高性能の建具に改装することができる。
【００１７】図２は既存縦枠、上枠Ａの断面形態であり壁イに装着されたうえ枠内の中詰め材Ｃと既存扉Ｄの位置と幅方向の開口寸法Ｗ並びに撤去枠の戸当たりＡ２、裏側見込み面材Ａ３等の位置を示す。
【００１８】図３は既存縦枠、上枠Ａと新規枠Ｂの各部材、表側下地ざいＢ１、裏側見込み面材Ｂ２を気密材嵌め込み溝底Ｂ２２において係止した形態と同溝に嵌め込まれた気密材Ｃ２等の位置関係を表現する。
【００１９】図４は既存した枠Ａ５、６等の設置状態と撤去部位Ａ７、Ａ７１等を点線で示す他、既存扉Ｄの装着状態の概略と縦方向の開口寸法Ｈの計測位置を示している。
【００２０】図５は下枠Ａ７、Ａ７１の撤去跡に新規下枠表側見込み面材Ｂ３、同折り曲げ部Ｂ３１、と連節係止し気密材嵌め込み溝Ｂ４２を形成する下枠裏側見込み面材等の位置関係を示したうえ縦方向の開口寸法Ｈの計測位置を示している。
【発明の効果】本発明は、戸当たりタイプの既存枠を壁イ、床ロ等に影響なく開口寸法の減少をさせず気密材嵌め込み溝付き枠に改装し扉の更新に伴い新規に気密材を改装枠の四周に装着し閉扉に応じて扉内面に密着させ遮音、断熱等の性能に優れた高気密建具えの改装を効果的に行える新規な改修方法である。
【図面の簡単な説明】
【図１】縦枠（上枠も同様）と下枠（くつずり）の改装形態を表現した部分斜視図
【図２】既存縦、上枠と扉の断面略図
【図３】改装縦、上枠と新規扉の断面略図
【図４】既存下枠と扉の断面略図
【図５】新規下枠と新規扉の断面略図
【符号の説明】
イ      壁
ロ      床
Ａ      既存枠（縦枠、上枠、下枠）
Ａ１      〃  表側見込み面
Ａ２      〃  戸当たり    （撤去を含む）
Ａ３      〃  裏側見込み面      〃
Ａ４      〃  裏側見付け面      〃
Ａ５      〃  下枠表側見込み面
Ａ６      〃  下枠戸当たり面（撤去を含む）
Ａ７      〃  下枠裏側見込み面
Ａ７１    〃  下枠裏側見付け面
Ｂ      新規枠（縦枠、上枠、下枠）
Ｂ１      〃  表側下地材
Ｂ１１    〃      〃    折り曲げ部
Ｂ２      〃  裏側見込み面材
Ｂ２１    〃  気密材嵌め込み溝
Ｂ２２    〃      〃        底
Ｂ２３    〃  裏側見付け面
Ｂ３      〃  下枠表側見込み面材
Ｂ３１    〃        〃      折り曲げ部
Ｂ４      〃  下枠裏側見込み面材
Ｂ４１    〃  下枠  〃      折り曲げ部
Ｂ４２    〃  気密材嵌め込み溝
Ｃ      中詰め材
Ｃ１    戸当たりゴム
Ｃ２    気密材
Ｃ３    螺子等
Ｄ      既存扉
Ｄ      新規扉
Ｗ      開口寸法幅
Ｈ      開口寸法高さ
【図１】
2004308379.tif 000003
【図２】
2004308379.tif 000004
【図３】
2004308379.tif 000005
【図４】
2004308379.tif 000006
【図５】
2004308379.tif 000007